(57)【要約】【課題】より好適に施術突起の汚れを除去することが可能な頭皮ケア装置を提供する。【解決手段】施術突起２３には光触媒コーティング２３ａが施される。載置台４０には、施術突起２３の一部を施術突起２３毎に覆う凹部４２を有し、凹部４２には頭皮ケア装置本体１０を載置した際に施術突起２３のコーティング２３ａにおいて光触媒作用を発生させるための面光源４３が設けられる。【選択図】図１
2011251087.tif 000002
【特許請求の範囲】
【請求項１】
使用者の頭皮に接触させてその頭皮に刺激を付与する施術突起を備えた頭皮ケア装置本体と、該頭皮ケア装置本体の施術突起側を少なくとも収容するように載置可能な載置台とを備えた頭皮ケア装置であって、
少なくとも前記施術突起には光触媒コーティングが施され、
前記載置台には、前記施術突起の一部を覆う凹部を有し、該凹部には前記頭皮ケア装置本体を載置した際に前記施術突起のコーティングにおいて光触媒作用を発生させるための面光源が設けられたことを特徴とする頭皮ケア装置。
【請求項２】
請求項１に記載の頭皮ケア装置において、
前記載置台及び前記頭皮ケア装置本体の少なくとも一方には前記頭皮ケア装置本体を振動させるための振動源と、該振動源の駆動を制御する制御部とが備えられ、
前記制御部は、前記載置台に頭皮ケア装置本体が載置された際に前記振動源を駆動させるよう制御することを特徴とする頭皮ケア装置。
【請求項３】
請求項２に記載の頭皮ケア装置において、
前記制御部は、前記振動源を駆動させた後に前記面光源を駆動させるよう制御することを特徴とする頭皮ケア装置。
【請求項４】
請求項１〜３のいずれか一項に記載の頭皮ケア装置において、
前記載置台には前記施術突起に付着した液体を蒸発させるヒータと、該ヒータの駆動を制御する制御部とが備えられたことを特徴とする頭皮ケア装置。
【請求項５】
請求項４に記載の頭皮ケア装置において、
前記制御部は、前記ヒータを駆動させた後に前記面光源を駆動させるよう制御することを特徴とする頭皮ケア装置。
【発明の詳細な説明】
【技術分野】
【０００１】
本発明は、例えば、頭皮の活性化を図るための頭皮ケア装置に関するものである。
【背景技術】
【０００２】
従来、例えば特許文献１の頭皮ケア装置では、複数の施術突起を有する施術子が駆動源の駆動により動作するように構成されており、動作する施術子の施術突起を頭皮に接触させて刺激を与えることで、血流促進等の頭皮のケア効果が得られるようになっている。
【０００３】
このような頭皮ケア装置では、頭皮に使用しているため、特に施術突起を清潔な状態に維持することが重要である。このため、例えば特許文献２の肌用装置のように光触媒作用を利用することで頭皮ケア装置の汚れを抑えて清潔な状態で維持することが考えられる。ここで、特許文献２の肌用装置について説明すると、使用者の肌と当接される平らな接触面に光触媒コーティングが施されるとともに、肌用装置を載置する載置台に紫外線ＬＥＤ等の点光源が設けられている。この点光源の光が前記接触面に到達することで光触媒作用が引き起こされて、その接触面の汚れが除去されることとなる。
【先行技術文献】
【特許文献】
【０００４】
【特許文献１】特開２００８−１１９０１６号公報
【特許文献２】特開２０１０−２９２５０号公報
【発明の概要】
【発明が解決しようとする課題】
【０００５】
ところで、上記のような肌用装置では、使用者の肌との接触面が比較的単純な平面形状であるため、その接触面全体に対して紫外線ＬＥＤ等の１つの点光源からの光を到達させることが可能とされている。しかしながら、例えば複数の施術突起が設けられた頭皮ケア装置では、点光源からの光がその突起の一面側にのみにしか当たらない虞がある。このため、頭皮ケア装置のように施術突起が設けられている場合では、好適に施術突起の汚れを除去することが難しく、この問題を改善した頭皮ケア装置の開発が望まれている。
【０００６】
本発明は、上記課題を解決するためになされたものであって、その目的は、より好適に施術突起の汚れを除去することが可能な頭皮ケア装置を提供することにある。
【課題を解決するための手段】
【０００７】
上記課題を解決するために、本発明は、使用者の頭皮に接触させてその頭皮に刺激を付与する施術突起を備えた頭皮ケア装置本体と、該頭皮ケア装置本体の施術突起側を少なくとも収容するように載置可能な載置台とを備えた頭皮ケア装置であって、少なくとも前記施術突起には光触媒コーティングが施され、前記載置台には、前記施術突起の一部を覆う凹部を有し、該凹部には前記頭皮ケア装置本体を載置した際に前記施術突起のコーティングにおいて光触媒作用を発生させるための面光源が設けられたこと特徴とする。
【０００８】
また上記構成において、載置台及び前記頭皮ケア装置本体の少なくとも一方には前記頭皮ケア装置本体を振動させるための振動源と、該振動源の駆動を制御する制御部とが備えられ、前記制御部は、前記載置台に頭皮ケア装置本体が載置された際に前記振動源を駆動させるよう制御することが好ましい。
【０００９】
また上記構成において、前記制御部は、前記振動源を駆動させた後に前記面光源を駆動させるよう制御することが好ましい。
また上記構成において、載置台には前記施術突起に付着した液体を蒸発させるヒータと、該ヒータの駆動を制御する制御部とが備えられることが好ましい。
【００１０】
また上記構成において、制御部は、前記ヒータを駆動させた後に前記面光源を駆動させるよう制御することが好ましい。
【発明の効果】
【００１１】
本発明によれば、より好適に施術突起の汚れを除去することが可能な頭皮ケア装置を提供することができる。
【図面の簡単な説明】
【００１２】
【図１】本実施形態における頭皮ケア装置の概略構成図である。
【図２】頭皮ケア装置の動作例について説明するためのタイミングチャートである。
【図３】頭皮ケア装置の概略構成図である。
【発明を実施するための形態】
【００１３】
以下、本発明を具体化した一実施形態を図面に従って説明する。
図１に示すように、本実施の形態の頭皮ケア装置１は、頭皮ケア装置本体１０と、この装置本体１０を支持する載置台４０とを備える。
【００１４】
頭皮ケア装置本体１０は、把持可能な本体ハウジング１１と、この本体ハウジング１１の端部に構成される略円柱状の２つの施術子２１とを備えている。
本体ハウジング１１の側面には電源スイッチ１２が備えられている。本体ハウジング１１の内部には各施術子を独立して駆動させるための２つの回転モータ１３が収容されるとともに、この回転モータ１３は本体ハウジング１１に収容された制御部１４と電気的に接続されている。この制御部１４は、本体ハウジング１１内に収容された二次電池からなる電源部１５と振動モータ３０と前記電源スイッチ１２と電気的に接続されている。
【００１５】
施術子２１は、前記回転モータ１３によって回転駆動される回転部材２２と、この回転部材２２に設けられる複数（図１では２つ図示）の施術突起２３とを有している。各施術突起２３は、例えば可撓性を有するＵＶ硬化型エラストマ若しくはＵＶ吸収剤を含羞するエラストマで構成されるとともに、少なくともその表面には光触媒コーティング２３ａが施されている。
【００１６】
上記のように構成された頭皮ケア装置本体１０では、電源スイッチ１２が使用者によってオン操作されると、制御部１４はその電源スイッチ１２からのオン操作信号の入力に基づいて、回転モータ１３（そのモータ軸１３ａ）を回転駆動させるための電力を電源部１５から回転モータ１３に供給する。そして、回転モータ１３のモータ軸が回転駆動されると、前記施術子２１の回転部材２２及び施術突起２３が一体回転される。そして、施術突起２３の先端を頭皮に接触させると、施術突起２３の先端の動きに合わせて使用者の頭皮が動かされることになり、頭皮がケア（マッサージ）されることになる。
【００１７】
一方、上記のように構成された頭皮ケア装置本体１０が載置可能な載置台４０は、前記施術突起２３を収容可能な収容空間を有する有底筒状に形成される。ここで、頭皮ケア装置本体１０には、本体ハウジング１１の外周部にフランジ部１１ａが形成されており、載置台４０に載置する際には、前記フランジ部１１ａが載置台４０の開口端部４０ａと当接するようになっている。また、載置台４０の開口端部４０ａには一部が切り欠きされて、空気等の流体が流入及び流出可能に窪み部４０ｂが形成されている。
【００１８】
載置台４０の底部４１は、施術突起２３及びこれを有する施術子２１に対応した形状とされる。具体的には、載置台４０の底部４１には、施術突起２３の形状に倣った複数の凹部４２が形成されている。また載置台４０の底部４１には、その表面略全体に亘って紫外線ＬＥＤ等の紫外線を発生させる面光源４３が設けられている。このため、施術突起２３の略全体に紫外線（光）を到達させることが可能となっている。
【００１９】
また、載置台４０には前記面光源４３より下部に前記施術突起２３等を乾燥させるためのヒータ４４が設けられている。前記面光源４３及び前記ヒータ４４はこれらの駆動を制御する制御部４５と電気的に接続されている。この制御部４５は外部の商用電源と接続される電源部４６と電気的に接続されている。また、制御部４５は、載置台４０の側壁４０ｃに設けられて前記頭皮ケア装置本体１０の電源部１５側に電力供給を行うための接続端子４７と電気的に接続されている。なお、この接続端子４７は、前記頭皮ケア装置本体１０側に設けられる接続端子１６と接触可能に構成されており、前記載置台４０に載置された否かを検知するためにも使用されるようになっている。
【００２０】
上記のように構成された頭皮ケア装置本体１０及び載置台４０を備えた頭皮ケア装置１では、例えば載置台４０に頭皮ケア装置本体１０を互いの接続端子１６，４７を接続した状態で載置すると、頭皮ケア装置本体１０の電源部１５に充電が行われるようになっている。これに加えて、頭皮ケア装置本体１０の制御部１４は、図１及び図２に示すように時間Ｔ１（＝０）において振動モータ３０を駆動させて頭皮ケア装置本体１０全体を振動させて、施術突起２３等に付着した水分が飛散される。また、これと同時若しくは僅かに後で、制御部４５は、載置台４０に設けられるヒータ４４を駆動させて施術突起２３等の頭皮ケア装置本体１０側に付着した水分や施術突起２３から飛散された水分を蒸発させる。なお、この蒸発された水分は載置台４０の開口端部４０ａの一部に切り欠き形成された窪み部４０ｂから外部に流出されるようになっている。
【００２１】
次いで、時間Ｔ２（例えば５分）において載置台４０の制御部４５は面光源４３を駆動させる。これと略同時に頭皮ケア装置本体１０の制御部１４は振動モータ３０の駆動を停止させる。その後、時間Ｔ３（例えば１０分）において制御部４５はヒータ４４の駆動を停止させる。次いで、制御部４５は頭皮ケア装置本体１０が載置台４０に載置されてから時間Ｔ４（例えば５時間程度）が経過されると面光源４３の駆動を停止させる。このように長時間、面光源４３を駆動させて光触媒作用を生じさせることで、施術突起２３の汚れを抑制させることができるようになっている。また、紫外線を発する面光源４３であるため施術突起２３等の対向面に対して殺菌等の効果を作用させることができるようになっている。
【００２２】
次に、本実施形態の特徴的な作用効果を記載する。
（１）少なくとも施術突起２３には光触媒コーティング２３ａが施される。載置台４０には、施術突起２３の一部を施術突起２３毎に覆う凹部４２を有し、凹部４２には頭皮ケア装置本体１０を載置した際に施術突起２３のコーティング２３ａにおいて光触媒作用を発生させるための面光源４３が設けられる。このように比較的複雑な形状の施術突起２３を凹部４２にて覆い、この凹部４２に面光源４３を設けることで面光源４３からの光（紫外線）を隈無く照射させることが可能となる。
【００２３】
（２）頭皮ケア装置本体１０には頭皮ケア装置本体１０を振動させるための振動モータ３０と、この振動モータ３０の駆動を制御する制御部１４とが備えられる。この制御部１４は、載置台４０に頭皮ケア装置本体１０が載置された際に振動モータ３０を駆動させるよう制御する。このような構成とすることで、使用者は頭皮ケア装置本体１０を載置台４０に置くだけで、施術突起２３等に付着した液体を飛散させることができる。特に、施術突起２３は光触媒コーティングが施されているため、親水性が高く、振動させることが付着した液体が表面の汚れを洗い流す作用も生じさせることができる。
【００２４】
（３）制御部１４により振動モータ３０を駆動させた後に制御部４５にて面光源４３を駆動させるよう制御する。このように、載置台４０に載置された状態の頭皮ケア装置本体１０の施術突起２３等に付着した液体を振動モータ３０にて飛散させて、付着した液体が十分に飛散された施術突起２３に対して面光源４３からの光（紫外線）を照射させることができる。これによってより好適な光触媒作用を生じさせることができる。
【００２５】
（４）載置台４０には施術突起２３に付着した液体や収容空間内の水分を蒸発させるヒータ４４が載置台４０の制御部４５にて制御される。このように、ヒータ４４を設けることで施術突起２３等に付着した水分を蒸発させることができる。このため、面光源４３からの光をより確実に施術突起２３側に照射させることができ、殺菌やぬめり防止効果をより向上させることができる。また、蒸発された水分は窪み部４０ｂから外部に流出させて収容空間内の湿度を下げることができるため、細菌等の繁殖を抑えることができる。
【００２６】
（５）制御部４５は、ヒータ４４を駆動させた後に面光源４３を駆動させるよう制御する。このような構成とすることで、ヒータ４４にて施術突起２３の水分を蒸発させた後に、面光源４３による光触媒作用を生じさせることができる。
【００２７】
（６）面光源４３を紫外線を発生させる紫外線ＬＥＤにて構成したため、施術突起２３等に対して殺菌等の効果を作用させることができる。
（７）施術突起２３をＵＶ硬化型エラストマ若しくはＵＶ吸収剤を含有するエラストマにて構成されているため、紫外線を施術突起に照射してもその劣化を低減させることができる。
【００２８】
尚、本発明の実施形態は、以下のように変更してもよい。
・上記実施形態では、施術突起２３毎に凹部４２を設ける構成としたが、例えば図３に示すように、施術突起２３が設けられる施術子２１毎に凹部４２を設ける構成を採用してもよい。
【００２９】
・上記実施形態では、載置台４０内部にヒータ４４を設ける構成を採用したが、例えば図３に示すようにヒータ４４を省略した構成を採用してもよい。なお、ヒータ４４を省略した場合、前記窪み部４０ｂを省略してフランジ部１１ａと載置台４０の開口端部４０ａとで収容空間を密閉した構造を採用することが望ましい。このような構成とすることで、外部に面光源４３の光が漏れることを抑えることができ、好適に光触媒作用を引き起こすことが可能となる。
【００３０】
・上記実施形態では、紫外線によって光触媒作用を引き起こす光触媒コーティング２３ａを施すよう構成したが、これに限らない。例えば可視光によって光触媒作用を引き起こす可視光応答型光触媒を用いてもよい。このように紫外線を積極的に使用しない構成とすることで、エラストマ等の劣化（酸化）を抑えることができる。
【００３１】
・上記実施形態では、載置台４０に頭皮ケア装置本体１０が載置されると自動で振動モータ３０が駆動するように構成したが、例えば、別途振動モータ３０を駆動させるスイッチを設けて、手動で振動モータ３０を駆動させる構成を採用してもよい。
【００３２】
・上記実施形態では、振動モータ３０を頭皮ケア装置本体１０側に設ける構成としたが、載置台４０に振動モータ３０を設けてもよい。このような構成とすることで頭皮ケア装置本体１０の軽量化を図ることができる。
【００３３】
・上記実施形態では、振動モータ３０を設ける構成としたが、省略した構成を採用してもよい。
・上記実施形態では、光触媒コーティング２３ａを施術突起２３のみに施すような構成としたが、これに限らない。例えば、施術突起２３の基端側である頭皮ケア装置本体１０の施術側面１１ａ（図１参照）に光触媒コーティング２３ａを施して、施術側面１１ａの汚れを抑制させる構成を採用してもよい。
【符号の説明】
【００３４】
１…頭皮ケア装置、１０…頭皮ケア装置本体、１４，４５…制御部、２３…施術突起、２３ａ…光触媒コーティング、３０…振動モータ（振動源）、４０…載置台、４２…凹部、４３…面光源、４４…ヒータ。
【図１】
2011251087.tif 000003
【図２】
2011251087.tif 000004
【図３】
2011251087.tif 000005